(57)【要約】【課題】  発達した情報通信技術を利用し、疎遠になってしまった同窓グループが集まるきっかけを作り、どこに住んでいても連絡可能としつつ、現在の各人状況をまとめた温かみのある有体物の同窓アルバム作成システム及び同窓アルバム作成方法を提供する。【解決手段】情報管理サーバと顧客端末装置とアルバム作成サーバとがネットワークを介して相互接続されている同窓アルバム作成システムであって、前記情報管理サーバは、申込情報受信手段と登録手段と登録情報送信手段と認証手段と個人情報受信手段とアルバム情報作成手段とアルバム情報送信手段を有し、顧客端末装置には、通信可能なコンピュータや携帯電話機等を用い、前記アルバム作成サーバは、アルバム情報受信手段とアルバム作成手段とを有している構成を基本とした。  【選択図】図１
2011164725.tif 000002
【特許請求の範囲】
【請求項１】
掲載希望者の個人情報を管理する情報管理サーバと、
顧客により操作される顧客端末装置と、
印刷機器及び製本機器を制御するアルバム作成サーバとが、
インターネット及び携帯電話ネットワークを介して相互接続されている同窓アルバム作成システムであって、
前記情報管理サーバは、
顧客端末から申込情報を受信する申込情報受信手段と、
該申込情報を登録し記憶する登録手段と、
前記申込情報送信者の顧客端末へ登録情報を送信する登録情報送信手段と、
掲載希望者を特定するための認証手段と、
各顧客端末から送信された個人情報を受信する個人情報受信手段と、
前記個人情報を整理及び記憶して同窓アルバム情報を作成するアルバム情報作成手段と、
該アルバム情報を前記アルバム作成サーバに送信するアルバム情報送信手段を有し、
前記顧客端末装置には、インターネット回線に接続されているコンピュータ又は携帯電話ネットワーク網において通信可能な携帯電話機を用い、
前記アルバム作成サーバは、
前記情報管理サーバからアルバム情報を受信するアルバム情報受信手段と、
該アルバム情報より印刷機器及び製本機器を制御して同窓アルバムを作成するアルバム作成手段と、
を有していることを特徴とする同窓アルバム作成システム。
【請求項２】
前記アルバム情報送信手段が、前記申込情報において指定された期日データに基いて処理されることを特徴とする請求項１に記載の同窓アルバム作成システム
【請求項３】
前記申込情報受信手段において、既に同一同窓グループの申込がないかの判断手段を有していることを特徴とする請求項１又は請求項２に記載の同窓アルバム作成システム
【請求項４】
前記アルバム作成手段後に、前記アルバム情報作成手段により作成されたアルバム情報より当該同窓グループの電子掲示板情報を作成する電子掲示板情報作成手段と、
該電子掲示板情報を自動的にウェブ上へアップロードする自動アップロード手段と、
を有していることを特徴とする請求項１又から請求項３のいずれかに記載の同窓アルバム作成システム
【請求項５】
請求項１に記載の前記同窓アルバム作成システムを利用する同窓アルバム作成方法であって、
前記情報管理サーバに顧客端末から申込情報を送信する申込情報送信工程と、
該顧客端末から申込情報を受信する申込情報受信工程と、
該申込情報を登録し記憶する登録工程と、
前記申込情報送信者の顧客端末へ登録情報を送信する登録情報送信工程と、
該登録情報を他の顧客端末へ転送する登録情報転送工程と、
掲載希望者を特定するための認証工程と、
各顧客端末から送信された個人情報を受信する個人情報受信工程と、
前記個人情報を整理及び記憶して同窓アルバム情報を作成するアルバム情報作成工程と、
該アルバム情報を前記アルバム作成サーバに送信するアルバム情報送信工程と、
同窓アルバムを作成する工程と、
該作成された同窓アルバムが、登録情報に基いて発送される発送工程と、
を有することを特徴とする同窓アルバム作成方法。
【請求項６】
前記アルバム情報送信工程が、前記申込情報において指定された期間情報に基いて処理することを特徴とする請求項４に記載の同窓アルバム作成方法。
【請求項７】
前記申込情報受信工程において、既に同一同窓グループの申込がないかの判断工程を有していることを特徴とする請求項５又は請求項６に記載の同窓アルバム作成方法。
【請求項８】
前記発送工程後に、前記アルバム情報作成工程により作成されたアルバム情報から当該同窓グループの電子掲示板情報を作成する電子掲示板情報作成工程と、
該電子掲示板情報を自動的にウェブ上へアップロードする自動アップロード工程と、
を有していることを特徴とする請求項５から請求項７のいずれかに記載の同窓アルバム作成方法。
【発明の詳細な説明】
【技術分野】
【０００１】
本発明は、インターネット及び携帯電話ネットワークを利用した同窓アルバム作成システム及び同窓アルバム作成方法に関し、特に、最終生産物が有体的アルバムである同窓アルバム作成システム及び同窓アルバム作成方法に関する。
【背景技術】
【０００２】
近年、デジタルカメラ等の普及により、写真や動画の撮影が手軽に行えるようになり、プリントしなくてもモニタ等で見ることが可能となった。また、多くの画像データ等を電子的な記憶媒体に保存できることから、経済的で保存スペースや劣化等の問題も大幅に改善されたといえる。最近ではパーソナルコンピュータで電子フォトアルバムソフトを使用して編集や加工も容易となっており、液晶モニタに撮影した画像が一定時間の間隔で自動的に切り替わり表示されるデジタルフォトスタンドなども販売されるようになった。またさらに、インターネット上のサーバの記憶領域に、ユーザが撮影した画像データを預け、ネットワークに接続されている端末を用いてどこにいてもその画像データを閲覧したり、加工を行うなどのサービスを提供するフォトサービスサイトなども登場するようになっている。
【０００３】
しかし、有体的にプリントした写真を集めてつくる従来のアルバムには、電子媒体を介して表示されるアルバムにはない味や温かみがあり、特に卒業アルバムや結婚式のアルバムなどでは一枚一枚自分の手でめくる従来の有体的アルバムを残しておきたいと考える人は多い。
【０００４】
古いアルバムを見ると、級友や部活動の仲間達は今どうしているだろうかと思うことがあるが、仲の良かった特定の集団（級友、部活動やサークル、特に親しかった友人グループ、大学の研究室、アルバイト仲間等の同窓グループ、以下、単に「同窓グループ」という。）であっても、長い月日が経過していると、引っ越し、転勤、結婚などにより連絡先がわからなくなっていたりすることも多い。また、連絡先がわかっていても、同窓グループの中には海外で生活をしていたりする者がいる場合もある。
【０００５】
そこで、疎遠になってしまった同窓グループが、長い時を経て今一度集まりたくなるようなきっかけを作り、どこに住んでいても連絡を取り合うことを可能としつつ、現在の各人状況をまとめた有体アルバムが作成できるような技術的システム及び方法の提供が望まれているといえる。
【０００６】
ここで、特定の集団の情報発信・情報交換といえば、近年では、通信環境の整備及び情報通信技術の発展によって、インターネットや携帯電話等のネットワークを利用した種々の情報提供サービス及び情報利用サービスが提供されており、特にＳＮＳ（Ｓｏｃｉａｌ  Ｎｅｔｗｏｒｋｉｎｇ  Ｓｅｒｖｉｃｅ）や口コミサービスが盛んに提供されている。このＳＮＳは、人と人とのつながりを促進・サポートするコミュニティ型の会員制ネットワークをインターネット上で提供等するサービスであり、口コミサイトは、商品、集団（例えば、企業）、サービス、ニュース他、物事に関する評判や噂を扱うサービスである。
【０００７】
そして、これらのサービスでは、テキストデータ、画像データ、音声データ等の情報の共有や、情報の提供が可能となっており、特に半導体デバイス等の微細化が進んだ今日では、デジタルカメラやデジタルビデオカメラ
に代表される画像入力装置が、携帯電話機やＰＤＡ（Ｐｅｒｓｏｎａｌ
Ｄｉｇｉｔａｌ Ａｓｓｉｓｔａｎｔ）、あるいはパーソナルコンピュータ等にも内蔵されるようになったことから、一般人でも身近な機器を用いてデジタル画像データ等を手軽に取得、作成、保存、加工、送受信等することができるようにもなっている。
【０００８】
更に、ブログ（ウェブ上の記録を意味する「ウェブログ」の略で、個人の日記などを、簡便な方法で作成し、公開することができるウェブサイトの総称）サービスでは、当初は個人の日記などを公開するものであったが、最近では、閲覧者のコメントが書き込めるようになり、サイトの更新が頻繁に行われるため、サイトの更新をクライアント端末に通知する技術として、ＲＳＳ（ＲＤＦ（Ｒｅｓｏｕｒｃｅ
Ｄｅｓｃｒｉｐｔｉｏｎ Ｆｒａｍｅｗｏｒｋ） Ｓｉｔｅ Ｓｕｍｍａｒｙ、Ｒｉｃｈ Ｓｉｔｅ Ｓｕｍｍａｒｙ、またはＲｅａｌｌｙ Ｓｉｎｐｌｅ Ｓｙｎｄｉｃａｔｉｏｎ）が発達している。
【０００９】
なお、電子アルバムへの不正なアクセスを排除する技術や（特許文献１参照）、電子情報としての同窓生ネットワークシステム、及び、学校アルバムに関する技術（特許文献２参照）も提案されている。
【先行技術文献】
【特許文献】
【００１０】
【特許文献１】特許第３８１４５０８号公報
【特許文献２】特願２００１−１５４５７号公報
【発明の概要】
【発明が解決しようとする課題】
【００１１】
しかしながら、前述の如く、デジタルの画像データ等で作成されたフォトサイトやアルバムをモニタ等で観るのでは温かみがない。また、前記ＳＮＳ、口コミサービス及びブログサービスでは、サイト情報やＵＲＬ（Ｕｎｉｆｏｒｍ  Ｒｅｓｏｕｒｃｅ  Ｌｏｃａｔｏｒ）を、積極的に自ら検索してくる人には有効に情報伝達をすることができるとしても、情報が来なければアクションを起こさない消極的な方も含まれるであろう同窓グループへの呼びかけに利用するには効果が低い。
【００１２】
そこで、本発明は、かかる実情に鑑み、発達した通信環境の整備及び情報通信技術を利用し、疎遠になってしまった同窓グループが、長い時を経て今一度集まりたくなるようなきっかけを作り、どこに住んでいても連絡を取り合うことを可能としつつ、現在の各人状況をまとめた温かみのある有体物の同窓アルバム作成システム及び同窓アルバム作成方法を提供しようとするものである。
【課題を解決するための手段】
【００１３】
本発明は、掲載希望者の個人情報を管理する情報管理サーバと、顧客により操作される顧客端末装置と、印刷機器及び製本機器を制御するアルバム作成サーバとが、インターネット及び携帯電話ネットワークを介して相互接続されている同窓アルバム作成システムであって、前記情報管理サーバは、顧客端末から申込情報を受信する申込情報受信手段と、該申込情報を登録し記憶する登録手段と、前記申込情報送信者の顧客端末へ登録情報を送信する登録情報送信手段と、掲載希望者を特定するための認証手段と、各顧客端末から送信された個人情報を受信する個人情報受信手段と、前記個人情報を整理及び記憶して同窓アルバム情報を作成するアルバム情報作成手段と、該アルバム情報を前記アルバム作成サーバに送信するアルバム情報送信手段を有し、前記顧客端末装置には、インターネット回線に接続されているコンピュータ又は携帯電話ネットワーク網において通信可能な携帯電話機を用い、前記アルバム作成サーバは、前記情報管理サーバからアルバム情報を受信するアルバム情報受信手段と、該アルバム情報より印刷機器及び製本機器を制御して同窓アルバムを作成するアルバム作成手段とを有している構成の、同窓アルバム作成システムとした。
【００１４】
また、本発明は、前記アルバム情報送信手段が、前記申込情報において指定された期日データに基いて処理される構成の同窓アルバム作成システムとすることもできる。
【００１５】
また、本発明は、前記申込情報受信手段において、既に同一同窓グループの申込がないかの判断手段を有している構成の同窓アルバム作成システムとすることもできる。
【００１６】
また、本発明は、前記アルバム作成手段後に、前記アルバム情報作成手段により作成されたアルバム情報より当該同窓グループの電子掲示板情報を作成する電子掲示板情報作成手段と、該電子掲示板情報を自動的にウェブ上へアップロードする自動アップロード手段と、を有している構成の同窓アルバム作成システムとすることもできる。
【００１７】
また、本発明は、前記同窓アルバム作成システムを利用する同窓アルバム作成方法であって、前記情報管理サーバに顧客端末から申込情報を送信する申込情報送信工程と、該顧客端末から申込情報を受信する申込情報受信工程と、該申込情報を登録し記憶する登録工程と、前記申込情報送信者の顧客端末へ登録情報を送信する登録情報送信工程と、該登録情報を他の顧客端末へ転送する登録情報転送工程と、掲載希望者を特定するための認証工程と、各顧客端末から送信された個人情報を受信する個人情報受信工程と、前記個人情報を整理及び記憶して同窓アルバム情報を作成するアルバム情報作成工程と、該アルバム情報を前記アルバム作成サーバに送信するアルバム情報送信工程と、同窓アルバムを作成する工程と、該作成された同窓アルバムが、登録情報に基いて発送される発送工程と、を有している構成の同窓アルバム作成方法とすることもできる。
【００１８】
また、本発明は、前記アルバム情報送信工程が、前記申込情報において指定された期間情報に基いて処理する構成の同窓アルバム作成方法とすることもできる。
【００１９】
また、本発明は、前記申込情報受信工程において、既に同一同窓グループの申込がないかの判断工程を有している構成の同窓アルバム作成方法とすることもできる。
【００２０】
また、本発明は、前記発送工程後に、前記アルバム情報作成工程により作成されたアルバム情報から当該同窓グループの電子掲示板情報を作成する電子掲示板情報作成工程と、該電子掲示板情報を自動的にウェブ上へアップロードする自動アップロード工程と、を有している構成の同窓アルバム作成方法とすることもできる。
【発明の効果】
【００２１】
本発明にかかる同窓アルバム作成システム及び同窓アルバム作成方法によれば、疎遠になってしまった同窓グループが、長い時を経て今一度集まりたくなるようなきっかけを作り、どこに住んでいても連絡を取り合うことが可能となり、現在の各人状況をまとめた有体アルバムが作成できるという優れた効果を奏し得る。
【図面の簡単な説明】
【００２２】
【図１】本発明に係る情報伝達経路を示す概略図。
【図２】本発明に係る情報伝達経路を大まかに示す概略ブロック図。
【図３】本発明に係る情報管理サーバの伝達経路を示す概略ブロック図。
【図４】本発明に係る情報管理サーバのデータベーステーブルの一例を示す概略図。
【図５】本発明の利用初期状態説明図。
【図６】本発明に係る端末表示のイメージ図。
【図７】本発明に係る端末表示のイメージ図
【図８】本発明に係る端末表示のイメージ図。
【図９】本発明に係る情報伝達経路を示すフローチャート。
【発明を実施するための形態】
【００２３】
本発明にかかる同窓アルバム作成システム１及び同窓アルバム作成方法は、発達した通信環境の整備及び情報通信技術を利用して有体物の同窓アルバムを作成し提供することを最大の特徴とする。以下、本発明の実施の形態を添付図面を参照して説明する。
＜本発明に係る広告情報提供システムの概略について＞
【００２４】
図１は、本発明に係る情報伝達経路を示す概略図である。同窓アルバム作成システム１は、情報管理サーバ１０と、顧客により操作される顧客のパーソナルコンピュータ等の端末装置３０、３１・・・及び携帯電話端末装置４０、４１・・・と、印刷機器及び製本機器を制御するアルバム作成サーバ２０が、インターネット５０及び携帯電話ネットワーク５１を介して相互接続されている同窓アルバム作成システム１であり、情報管理サーバ１０と、顧客により操作される顧客のパーソナルコンピュータ等の端末装置３０、３１・・・と、アルバム作成サーバ２０は、それぞれインターネット接続業者である所謂プロバイダーが管理するウェブサーバ６１、６２、６３、６４・・・を介してインターネット５０に接続され、携帯電話端末装置４０、４１・・・は、基地局７０、７１・・・及び携帯電話事業者が管理するデジタル通信管理サーバ６５、６６・・・を介して携帯電話ネットワーク５１に接続される。
【００２５】
以下、顧客により操作される顧客のパーソナルコンピュータ３０、３１及び携帯電話端末装置４０、４１を総称して顧客端末Ｋといい、インターネット接続業者である所謂プロバイダーが管理するウェブサーバ６１、６２、６３、６４を総称してウェブサーバＷといい、基地局７０、７１を総称して基地局Ｄといい、携帯電話事業者が管理するデジタル通信管理サーバ６５、６６を総称してデジタル通信管理サーバＰという。
＜本発明に係る大まかな情報伝達経路について＞
【００２６】
図２は、本発明に係る情報伝達経路を大まかに示す概略ブロック図である。情報管理サーバ１０は、申込者の顧客端末Ｋ１０から申込情報を受信し、グループ登録情報（グループＩＤ（Ｉｄｅｎｔｉｆｉｃａｔｉｏｎ）及びグループパスワード等）を申込者の顧客端末Ｋ１０へ送信する。また、情報管理サーバ１０は、参加希望者の顧客端末Ｋ１０から参加情報を受信し、個人登録情報（個人ＩＤ及び個人パスワード等）を参加者の顧客端末Ｋへ送信し、更に、参加者の顧客端末Ｋ１０からの個人情報を受信する。そして、情報管理サーバ１０内でアルバム作成情報が作られ、該アルバム作成情報がアルバム作成サーバ２０へ送信され、該アルバム作成サーバ２０が印刷機器及び製本機器を制御して同窓アルバムを作成するという構成である。
＜本発明に係る情報管理サーバの構成について＞
【００２７】
図３は、本発明に係る情報管理サーバ１０の構成を示す概略ブロック図である。情報管理サーバ１０は、通信部Ｑと、判断部Ｒと、情報処理部Ｓと、保存登録部Ｔと、情報作成部Ｕを有している。
【００２８】
通信部Ｑには、顧客端末Ｋから申込情報を受信する申込情報受信部Ｑ１と、グループ登録情報（グループＩＤ及びグループパスワード等）を申込者の顧客端末Ｋ１０へ送信するグループ登録情報送信部Ｑ２と、顧客端末Ｋから参加情報を受信する参加情報受信部Ｑ３と、個人登録情報（個人ＩＤ及び個人パスワード等）を参加者の顧客端末Ｋ１０へ送信する個人登録情報送信部Ｑ４と、顧客端末Ｋから個人情報を受信する個人情報受信部Ｑ５と、アルバム作成情報をアルバム作成サーバへ送信するアルバム作成情報送信部Ｑ６と、ウェブサイト情報をウェブサーバＷへ送信するウェブ情報送信部Ｑ７とを有している。また、掲示板情報をウェブ上に公開する構成を採用する場合には、掲示板情報作成部Ｕ３で作られた掲示板情報をウェブサーバＷへ送信する掲示板情報送信部Ｑ８を有する構成となる。
【００２９】
判断部Ｒは、個人情報受信部Ｑ５が受信した参加者からの個人情報・閲覧要求・情報の変更等を受け付けるか否かを判断する認証判断部Ｒ１を有している。また、既に同一同窓グループの申込がないかの判断を処理する同一グループ既登録判断部Ｒ２を設けることが望ましい。
【００３０】
情報処理部Ｓは、グループ毎に統一された情報を処理して保存登録部Ｔに保存するとともに、登録されたグループ登録情報（グループＩＤ及びグループパスワード等）を申込者の顧客端末Ｋ１０へ送信するためにグループ登録情報送信部Ｑ２へ伝達するグループ登録処理部Ｓ１と、認証処理部Ｒ１により受け付けた個人情報を処理して保存登録部Ｔに保存するとともに、登録された個人登録情報（個人ＩＤ及び個人パスワード等）を参加者の顧客端末Ｋ１０へ送信するために個人登録情報送信部Ｑ４へ伝達する個人登録処理部Ｓ２とを有している。
【００３１】
保存登録部Ｔは、同窓アルバムを作成するために集められた情報データを保存し、必要な情報を効率よく検索したり取り出せるように体系的に配列されたデータベースである。
【００３２】
情報作成部Ｕは、アルバム作成に必要なアルバム作成情報を作成するアルバム情報作成部Ｕ１と、ウェブサイトの公開に必要なウェブサイト情報を作成するウェブサイト情報作成部Ｕ２とを有している。また、掲示板情報をウェブ上に公開する構成を採用する場合には、掲示板情報送信部Ｑ８から掲示板情報をウェブサーバＷへ送信する掲示板情報を作成するための掲示板情報作成部Ｕ３を有する構成となる。
【００３３】
図４は、本発明に係る情報管理サーバ１０の保存登録部Ｔにおけるデータベーステーブルの一例を示す概略図である。該保存登録部Ｔは、グループ登録情報と個人登録情報に分けて分類され、例えば、グループ登録情報には、グループＩＤやグループパスワード等が登録される、個人登録情報には、氏名、郵便番号、住所、電話番号、メールアドレス、自分の顔写真や家族等の写真データ、テキストデータ等が記憶される。また、個人情報の特定の項目については、各参加者が非公開となる取り扱いを受けられるように公開情報と非公開情報の区別がつくように整理される。
＜本発明の実施形態について＞
【００３４】
図５は、本発明の利用初期状態説明図である。まずＡ君が、情報管理サーバ１０によりウェブ上に公開された同窓アルバム作成サイトから申込ボタンにより作成申し込みをする。次に、画面上から必要な情報を入力して送信し、これが登録処理されるとグループ登録情報が申込者（Ｂ君やＣ君等）の顧客端末Ｋへ電子メール等で送信され、これを申込者が連絡先を知っている同窓者に転送する。係る転送手段としては、予め申込時に知っているアドレスを申込情報に含めておき、グループ登録情報送信時に情報管理サーバ１０から同時送信させる手段や、申込者の顧客端末Ｋが有する自動転送機能を用いることなどが有効である。そして、前記グループ登録情報を含む電子メールを受け取ったＢ君やＣ君等が、Ａ君がアドレスを知らなかった他の同窓者に転送していくことで周知を図っていく。
【００３５】
図６、図７、図８は、本発明に係る端末表示のイメージ図である。前記電子メールを受け取った同窓者（例えば、山田君）が、グループＩＤとグループパスワードでログインし、現在の参加状況を確認する。この時点で、石井君、上村さん、加藤君、佐藤さん、山口さん等が参加していることが確認できる（図６（ａ））。つぎに、参入ボタンを押し、個人登録をするためのＩＤやパスワードを取得して参加が認められると、図に示すように参加者情報が更新され、新たな参加者である山田君が追加された表示に変更される（図６（ｂ））。
【００３６】
図７は、本発明に係る端末表示のイメージ図である。参加者になった顧客端末Ｋの画面には、アルバムのマイページ作成を開始するボタンが表示され、係るボタンをクリックすると、図７に示すようなアルバム作成画面となり、画像挿入ボタンやコメント挿入ボタンを使って写真データやテキストデータを張り付けてマイページ部分を作成する。なお、ページ内の配置などについてテンプレートを用意しておくのも有効である。図７では、画像挿入を４回、コメント挿入を５回行い作られたマイページ作成例であるが、これはあくまで例示であって、係るレイアウトや挿入回数が限定されるものではない。
【００３７】
図８は、本発明に係る同窓アルバム作成後の端末表示のイメージ図である。アルバムを作成した後でも、交流や親睦をはかれるように、公開されなかった連絡先などを個別に本人へ問い合わせができたり、同窓会の呼びかけを登録されている参加者全員に送信してくれる機能や、グループのウェブ掲示板の作成機能を設けることも有効である。
【００３８】
その後、設定された期間の経過や、同窓グループの全員が参加した場合等の諸条件により、情報管理サーバ１０の情報作成部Ｕにおけるアルバム情報作成部Ｕ１よりアルバム作成情報が作られ、該アルバム作成情報を受信したアルバム作成サーバ２０へ送信され、該アルバム作成サーバ２０が印刷機器及び製本機器を制御して同窓アルバムが作成される。
【００３９】
＜本発明に係る同窓アルバム作成方法の処理工程について＞
図９は、本発明に係る同窓アルバム作成方法の基本的な情報伝達経路を示すフローチャートである。図９に基いて、本発明に係る同窓アルバム作成方法を実施するための各工程を説明する。
【００４０】
（工程１）まず、同窓アルバムの制作を希望する同窓グループの中の一人が、情報管理サーバ１０によってウェブ上に公開されたサイトにアクセスし、新規グループの登録をするために顧客端末Ｋから申込情報を情報管理サーバ１０へ送信する。その後、工程２に進む。
【００４１】
（工程２）つぎに、同一グループの既登録の有無を判断する構成を採用する場合は、顧客端末Ｋから申込情報を受信した情報管理サーバ１０の同一グループ既登録判断部Ｒ２において、その有無を判断し、同一グループの登録が既になされている場合は申込を拒絶する。その後、工程３に進む。
【００４２】
（工程３）つぎに、申込が認められたグループ登録情報（グループＩＤ及びグループパスワード等）を保存登録部Ｔのデータベースに登録し記憶する。その後、工程４に進む。
【００４３】
（工程４）つぎに、前記申込情報送信者の顧客端末Ｋへグループ登録情報を送信する。その後、工程５に進む。
【００４４】
（工程５）つぎに、前記グループ登録情報を受け取った申込情報送信者は、該登録情報を他の顧客端末Ｋへ転送する。その後、工程６に進む。
【００４５】
（工程６）つぎに、掲載を希望する参加者が前記サイトにアクセスしてきたときに、同窓グループであるか否かを、グループＩＤ及びグループパスワード等により認証処理をする。その後、工程７に進む。
【００４６】
（工程７）つぎに、参加が認められた個人登録情報（個人ＩＤ及び個人パスワード等）を保存登録部Ｔのデータベースに登録し記憶する。その後、工程８に進む。
【００４７】
（工程８）つぎに、前記参加者の顧客端末Ｋへ個人登録情報を送信する。その後、工程９に進む。
【００４８】
（工程９）つぎに、各顧客端末Ｋから個人情報を情報管理サーバ１０に送信する。その後、工程１０に進む。
【００４９】
（工程１０）つぎに、前記掲載を希望する参加者から個人情報を受信したときに、グループＩＤ、グループパスワード、個人ＩＤ及び個人パスワード等により認証処理をする。その後、工程１１に進む。
【００５０】
（工程１１）つぎに、前記認証処理により認められた個人情報を情報処理部Ｓにおいて適宜処理され、集められた情報データを保存登録部Ｔのデータベースに保存し、情報作成部Ｕよりアルバム作成に必要なアルバム作成情報が作成される。また、同時にウェブサイトの公開に必要なウェブサイト情報がウェブサイト情報作成部Ｕ２において作成される。さらに、掲示板情報をウェブ上に公開する構成を採用する場合には、掲示板サイトの公開に必要な掲示板情報が掲示板情報作成部Ｕ３により作成される。その後、工程１２に進む。
【００５１】
（工程１２）つぎに、前記アルバム作成情報を、アルバム作成サーバ２０に送信する。その後、工程１３に進む。
【００５２】
（工程１３）つぎに、前記アルバム作成情報を受信したアルバム作成サーバ２０は、印刷機を制御して同窓アルバムを印刷する。その後、工程１４に進む。
【００５３】
（工程１４）つぎに、アルバム作成サーバ２０は、製本機を制御して同窓アルバムを製本する、その後、工程１５に進む。
【００５４】
（工程１５）つぎに、前記製本された同窓アルバムが、登録情報に基いて発送される。
【符号の説明】
【００５５】
１  同窓アルバム作成システム
１０  情報管理サーバ
２０  アルバム作成サーバ
３０  パーソナルコンピュータ
３１  パーソナルコンピュータ
４０  携帯電話端末装置
４１  携帯電話端末装置
５０  インターネット
５１  携帯電話ネットワーク
６１  ウェブサーバ
６２  ウェブサーバ
６３  ウェブサーバ
６４  ウェブサーバ
６５  デジタル通信管理サーバ
６５  デジタル通信管理サーバ
７０  基地局
７１  基地局
Ｄ    基地局（総称）
Ｗ    ウェブサーバ（総称）
Ｋ    顧客端末（総称）
Ｐ    デジタル通信管理サーバ（総称）
Ｑ    通信部
Ｑ１  申込情報受信部
Ｑ２  グループ登録情報送信部
Ｑ３  参加情報受信部
Ｑ４  個人登録情報送信部
Ｑ５  個人情報受信部
Ｑ６  アルバム作成情報送信部
Ｑ７  ウェブ情報送信部
Ｑ８  掲示板情報送信部
Ｒ    判断部
Ｒ１  認証処理部
Ｒ２  同一グループ既登録判断部
Ｓ    情報処理部
Ｓ１  グループ登録処理部
Ｓ２  個人登録処理部
Ｔ    保存登録部
Ｕ    情報作成部
Ｕ１  アルバム情報作成部
Ｕ２  ウェブサイト情報作成部
Ｕ３  掲示板情報作成部
【図１】
2011164725.tif 000003
【図２】
2011164725.tif 000004
【図３】
2011164725.tif 000005
【図４】
2011164725.tif 000006
【図５】
2011164725.tif 000007
【図６】
2011164725.tif 000008
【図７】
2011164725.tif 000009
【図８】
2011164725.tif 000010
【図９】
2011164725.tif 000011